【手続補正書】
【提出日】平成19年3月2日(2007.3.2)
【手続補正１】
【補正対象書類名】明細書
【補正対象項目名】特許請求の範囲
【補正方法】変更
【補正の内容】
【特許請求の範囲】
【請求項１】  一般式：
【化１】
2002540204.tif 000001
［式中、
Ｒ１は、シアノ、ヒドロキシル、Ｃ１−Ｃ６アルコキシ、Ｃ１−Ｃ６アルキルチオおよびＣ１−Ｃ６アルコキシカルボニル基から独立して選択される１つ以上の置換基で場合により置換されていることのあるＣ１−Ｃ１２アルキル基を表わすか；または
Ｒ１は、カルボニル基を形成する環炭素原子を２個まで含んでなり得、そして窒素、酸素および硫黄から独立して選択される環ヘテロ原子を４個まで含んでなり得る、３−１０員の飽和または不飽和環構造を表わし、その環構造は、ハロゲン原子、並びにシアノ、ニトロ、ヒドロキシル、Ｃ１−Ｃ６アルキル、Ｃ３−Ｃ６シクロアルキル、Ｃ１−Ｃ６アルコキシ、Ｃ１−Ｃ６アルコキシカルボニル、Ｃ１−Ｃ６ハロアルキル、Ｃ１−Ｃ６ハロアルコキシ、−ＮＲ５Ｒ６、Ｃ３−Ｃ６シクロアルキルアミノ、Ｃ１−Ｃ６アルキルチオ、Ｃ１−Ｃ６アルキルチオＣ１−Ｃ６アルキル、Ｃ１−Ｃ６アルキルカルボニルアミノ、−Ｃ(Ｏ)ＮＲ７Ｒ８、スルホンアミド、(ジ)Ｃ１−Ｃ６アルキルスルホンアミド、フェニル、フェニルアミノ、ニトロフェニル、ピリジル、ピリジルチオ、ベンゾジオキサニル、チエニル、フラニル、およびＣ(Ｏ)Ｒ９で置換されているＣ１−Ｃ６アルキルまたはＣ１−Ｃ６アルコキシ基から独立して選択される１つ以上の置換基で場合により置換されていることがあり；
ｍは、０または１であり；
Ｑは、ＯＣＨ２、Ｃ１−Ｃ４アルキレンまたはＣ２−Ｃ４アルケニレン基を表わし；
Ｔは、Ｃ(Ｏ)ＮＨ基を表わすか、またはｍが０である場合、Ｔはさらに、結合もしくはＮＨ基を表わし得るか、またはｍが１であり、そしてＱがＣ１−Ｃ４アルキレンを表わす場合、Ｔはさらに、ＮＨ基を表わし得；
ｎは、１、２、３または４であり；
Ｒ２は各々独立して、水素原子またはＣ１−Ｃ４アルキル基を表わし；
Ｒ３は各々独立して、水素原子またはＣ１−Ｃ４アルキル基を表わし；
Ｖは、窒素原子を表わし；
Ｗは、窒素原子またはＣＨ基を表わし；
Ｘは、酸素原子、またはＣ(Ｏ)、ＣＨ(ＯＨ)、ＮＨもしくはＮ(Ｃ１−Ｃ６アルキル)基を表わし、ただし、Ｗが窒素原子を表わす場合、Ｘは、Ｃ(Ｏ)を表わし；
Ｒ４は、ハロゲン原子、並びにアミノ、ニトロ、シアノ、スルホニル、スルホンアミド、Ｃ１−Ｃ６アルキル、Ｃ１−Ｃ６ハロアルキル、Ｃ１−Ｃ６ハロアルコキシおよびＣ１−Ｃ６アルキルスルホニル基から独立して選択される１つ以上の置換基で場合により置換されていることのあるフェニル基を表わし；
Ｒ５およびＲ６は各々独立して、水素原子、またはＣ１−Ｃ６アルキルもしくはヒドロキシＣ１−Ｃ６アルキル基を表わすか、またはＲ５およびＲ６は、それらが結合している窒素原子と一緒になって、４−７員の飽和ヘテロ環式環を形成し；
Ｒ７およびＲ８は各々独立して、水素原子またはＣ１−Ｃ６アルキル基を表わし；そして
Ｒ９は、ヒドロキシルまたは−ＮＲ７Ｒ８基を表わす。］
（ただし、
（ａ）ｍが０であり、ＴがＣＯＮＨであり、ｎが２、３または４であり、Ｒ２およびＲ３が各々水素を表わし、ＷがＣＨであり、ＸがＣ(Ｏ)またはＣＨ(ＯＨ)であり、そしてＲ１が置換されている３−１０員の不飽和環構造を表わす場合、その環構造における１つ以上の置換基には、ヒドロキシル、ハロゲン、Ｃ１−Ｃ６アルコキシまたはＣ１−Ｃ６ハロアルコキシが含まれず；そして
（ｂ）ＷがＮであり、ＸがＣ(Ｏ)であり、Ｒ４が３−トリフルオロメチルフェニルを表わし、ｍが０であり、そしてＴが結合である場合、Ｒ１および(ＣＲ２Ｒ３)ｎは一緒になって、Ｃ１−Ｃ６アルキル基を表わさず；そして
（ｃ）ＷがＣＨであり、ＸがＯであり、ｎが２または３であり、Ｒ２およびＲ３が各々水素を表わし、ｍが０であり、そしてＴがＮＨである場合、Ｒ１は、基：
【化２】
2002540204.tif 000002
を表わさない。）
の化合物、またはその薬学的に許容され得る塩もしくは溶媒和物。
【請求項２】  Ｒ１がシアノ、ヒドロキシル、Ｃ１−Ｃ４アルコキシ、Ｃ１−Ｃ４アルキルチオおよびＣ１−Ｃ４アルコキシカルボニル基から独立して選択される１つまたは２つの置換基で場合により置換されていることのあるＣ１−Ｃ１０アルキル基を表わすか；または
Ｒ１がカルボニル基を形成する環炭素原子を２個まで含んでなり、そして窒素、酸素および硫黄から独立して選択される環ヘテロ原子を４個まで含んでなる、３−１０員の飽和または不飽和環構造を表わし、その環構造がハロゲン原子、並びにシアノ、ニトロ、ヒドロキシル、Ｃ１−Ｃ４アルキル、Ｃ３−Ｃ６シクロアルキル、Ｃ１−Ｃ４アルコキシ、Ｃ１−Ｃ４アルコキシカルボニル、Ｃ１−Ｃ３ハロアルキル、Ｃ１−Ｃ３ハロアルコキシ、−ＮＲ５Ｒ６、Ｃ３−Ｃ６シクロアルキルアミノ、Ｃ１−Ｃ４アルキルチオ、Ｃ１−Ｃ４アルキルチオＣ１−Ｃ４アルキル、Ｃ１−Ｃ４アルキルカルボニルアミノ、−Ｃ(Ｏ)ＮＲ７Ｒ８、フェニル、フェニルアミノ、ニトロフェニル、ピリジル、ピリジルチオ、ベンゾジオキサニル、チエニル、フラニル、およびＣ(Ｏ)Ｒ９で置換されているＣ１−Ｃ４アルキルまたはＣ１−Ｃ４アルコキシ基から独立して選択される１つ、２つまたは３つの置換基で場合により置換されていることがある；
請求項１に記載の化合物。
【請求項３】  ｍが１であり、そしてＱがＯＣＨ２、Ｃ１−Ｃ３アルキレンまたはＣ２−Ｃ３アルケニレン基を表わす、請求項１または請求項２に記載の化合物。
【請求項４】  ＴがＣ(Ｏ)ＮＨ基を表わす、請求項１−３のいずれかに記載の化合物。
【請求項５】  ｎが２または３である、請求項１−４のいずれかに記載の化合物。
【請求項６】  Ｖが窒素原子を表わし、そしてＷがＣＨ基を表わす、請求項１−５のいずれかに記載の化合物。
【請求項７】  Ｘが酸素原子、またはＣ(Ｏ)もしくはＮＨ基を表わす、請求項１−６のいずれかに記載の化合物。
【請求項８】  Ｒ４が１個または２個のハロゲン原子で場合により置換されていることのあるフェニル基を表わす、請求項１−７のいずれかに記載の化合物。
【請求項９】  ４−クロロ−Ｎ−{２−[４−(３,４−ジクロロフェノキシ)−１−ピペリジニル]エチル}−２−[２−(ジメチルアミノ)−２−オキソエトキシ]ベンズアミド；
Ｎ−{２−[４−(３,４−ジクロロフェノキシ)−１−ピペリジニル]エチル}−３−エトキシベンズアミド 塩酸塩；
Ｎ−{２−[４−(３,４−ジクロロフェノキシ)−１−ピペリジニル]エチル}−４−イソプロポキシベンズアミド；
Ｎ−{２−[４−(３,４−ジクロロフェノキシ)−１−ピペリジニル]エチル}−４−エトキシベンズアミド；
Ｎ−{２−[４−(３,４−ジクロロフェノキシ)−１−ピペリジニル]エチル}−３−(トリフルオロメトキシ)ベンズアミド 塩酸塩；
Ｎ−{２−[４−(３,４−ジクロロフェノキシ)−１−ピペリジニル]エチル}−４−メトキシベンズアミド；
Ｎ−{２−[４−(３,４−ジクロロフェノキシ)−１−ピペリジニル]エチル}−４−(トリフルオロメトキシ)ベンズアミド 塩酸塩；
Ｎ−{２−[４−(３,４−ジクロロフェノキシ)−１−ピペリジニル]エチル}−２−フラミド 塩酸塩；
Ｎ−{２−[４−(３,４−ジクロロフェノキシ)−１−ピペリジニル]エチル}−２−フェニルアセトアミド 塩酸塩；
Ｎ−{２−[４−(３,４−ジクロロフェノキシ)−１−ピペリジニル]エチル}−３−メトキシベンズアミド 塩酸塩；
３−クロロ−Ｎ−{２−[４−(３,４−ジクロロフェノキシ)−１−ピペリジニル]エチル}ベンズアミド 塩酸塩；
Ｎ−{２−[４−(３,４−ジクロロフェノキシ)−１−ピペリジニル]エチル}−４−フルオロベンズアミド；
Ｎ−{２−[４−(３,４−ジクロロフェノキシ)−１−ピペリジニル]エチル}−３−フルオロベンズアミド 塩酸塩；
Ｎ−{２−[４−(３,４−ジクロロフェノキシ)−１−ピペリジニル]エチル}−３−ヒドロキシベンズアミド 塩酸塩；
Ｎ−{２−[４−(４−クロロベンゾイル)−１−ピペリジニル]エチル}−３−[２−(メチルアミノ)−２−オキソエトキシ]ベンズアミド 塩酸塩；
２−[３−{２−[４−(４−フルオロベンゾイル)−１−ピペリジニル]エチル}−２,４−ジオキソ−３,４−ジヒドロ−１(２Ｈ)−キナゾリニル]−Ｎ，Ｎ−ジメチルアセトアミド 塩酸塩；
Ｎ−{２−[４−(３,４−ジクロロベンゾイル)−１−ピペラジニル]エチル}−３−メトキシベンズアミド 塩酸塩；
３,４−ジクロロ−Ｎ−{２−[４−(３,４−ジクロロベンゾイル)−１−ピペラジニル]エチル}ベンズアミド；
４−クロロ−Ｎ−{２−[４−(３,４−ジクロロベンゾイル)−１−ピペラジニル]エチル}−２−[２−(ジメチルアミノ)−２−オキソエトキシ]ベンズアミド 塩酸塩；
Ｎ〜７〜−{２−[４−(３,４−ジクロロフェノキシ)−１−ピペリジニル]エチル}−５−メチル[１,３]チアゾロ[４,５−ｄ]ピリミジン−２,７−ジアミン；
Ｎ−{２−[４−(３,４−ジクロロフェノキシ)−１−ピペリジニル]エチル}−９−メチル−９Ｈ−プリン−６−アミン；
Ｎ−{２−[４−(３,４−ジクロロフェノキシ)−１−ピペリジニル]エチル}−１,３−ベンゾチアゾール−２−アミン；
Ｎ−{２−[４−(３,４−ジクロロフェノキシ)−１−ピペリジニル]エチル}−１,３−ベンゾオキサゾール−２−アミン；
６−クロロ−Ｎ−{２−[４−(３,４−ジクロロフェノキシ)−１−ピペリジニル]エチル}−２−ピラジンアミン；
６−クロロ−Ｎ−{２−[４−(３,４−ジクロロフェノキシ)−１−ピペリジニル]エチル}−３−ピリダジンアミン；
６−({２−[４−(３,４−ジクロロフェノキシ)−１−ピペリジニル]エチル}アミノ)−１,３−ジメチル−２,４(１Ｈ,３Ｈ)−ピリミジンジオン；
Ｎ−{１−[４−(３,４−ジクロロフェノキシ)−ピペリジン−１−イルメチル]−２−メチル−プロピル}−４−メチルベンズアミド，塩酸塩；
Ｎ−{１−[４−(３,４−ジクロロ−フェノキシ)−ピペリジン−１−イルメチル]−２−メチル−プロピル}−３−メトキシベンズアミド，塩酸塩；
Ｎ−{２−[４−(３,４−ジクロロアニリノ)−１−ピペリジニル]エチル}−３−メトキシベンズアミド 二塩酸塩；
Ｎ−{２−[４−(３,４−ジクロロフェノキシ)−１−ピペリジニル]エチル}−Ｎ−(３−メトキシベンジル)アミン 二塩酸塩；
３−{２−[４−(３,４−ジクロロフェノキシ)−１−ピペリジニル]エチル}−６−メトキシ−２,４(１Ｈ,３Ｈ)−キナゾリンジオン；
Ｎ−{２−[４−(３,４−ジクロロフェノキシ)−１−ピペリジニル]エチル}−３−フルオロベンズアミド；
Ｎ−{２−[４−(３,４−ジクロロフェノキシ)−１−ピペリジニル]エチル}ベンズアミド；
４−クロロ−Ｎ−{２−[４−(３,４−ジクロロフェノキシ)−１−ピペリジニル]エチル}ベンズアミド；
Ｎ−{２−[４−(３,４−ジクロロフェノキシ)−１−ピペリジニル]エチル}−４−メトキシベンズアミド；
Ｎ−{２−[４−(３,４−ジクロロフェノキシ)−１−ピペリジニル]エチル}−２−メトキシベンズアミド；
Ｎ−{２−[４−(３,４−ジクロロフェノキシ)−１−ピペリジニル]エチル}−３−メトキシベンズアミド；
Ｎ−{２−[４−(３,４−ジクロロフェノキシ)−１−ピペリジニル]エチル}−２−ニトロベンズアミド；
Ｎ−{２−[４−(３,４−ジクロロフェノキシ)−１−ピペリジニル]エチル}−２−メチルベンズアミド；
Ｎ−{２−[４−(３,４−ジクロロフェノキシ)−１−ピペリジニル]エチル}−３−(トリフルオロメチル)ベンズアミド；
Ｎ−{２−[４−(３,４−ジクロロフェノキシ)−１−ピペリジニル]エチル}−３,５−ジニトロベンズアミド；
Ｎ−{２−[４−(３,４−ジクロロフェノキシ)−１−ピペリジニル]エチル}−２−ヨードベンズアミド；
４−シアノ−Ｎ−{２−[４−(３,４−ジクロロフェノキシ)−１−ピペリジニル]エチル}ベンズアミド；
４−ブロモ−Ｎ−{２−[４−(３,４−ジクロロフェノキシ)−１−ピペリジニル]エチル}ベンズアミド；
Ｎ−{２−[４−(３,４−ジクロロフェノキシ)−１−ピペリジニル]エチル}−４−メチルベンズアミド；
Ｎ−{２−[４−(３,４−ジクロロフェノキシ)−１−ピペリジニル]エチル}−４−ニトロベンズアミド；
３−ブロモ−Ｎ−{２−[４−(３,４−ジクロロフェノキシ)−１−ピペリジニル]エチル}ベンズアミド；
３,４−ジクロロ−Ｎ−{２−[４−(３,４−ジクロロフェノキシ)−１−ピペリジニル]エチル}ベンズアミド；
Ｎ−{２−[４−(３,４−ジクロロフェノキシ)−１−ピペリジニル]エチル}−４−フルオロベンズアミド；
２,４−ジクロロ−Ｎ−{２−[４−(３,４−ジクロロフェノキシ)−１−ピペリジニル]エチル}ベンズアミド；
Ｎ−{２−[４−(３,４−ジクロロフェノキシ)−１−ピペリジニル]エチル}−３−メチルベンズアミド；
Ｎ−{２−[４−(３,４−ジクロロフェノキシ)−１−ピペリジニル]エチル}−４−ヨードベンズアミド；
４−クロロ−Ｎ−{２−[４−(３,４−ジクロロフェノキシ)−１−ピペリジニル]エチル}−３−ニトロベンズアミド；
Ｎ−{２−[４−(３,４−ジクロロフェノキシ)−１−ピペリジニル]エチル}−４−メチル−３−ニトロベンズアミド；
Ｎ−{２−[４−(３,４−ジクロロフェノキシ)−１−ピペリジニル]エチル}−２−フルオロ−５−(トリフルオロメチル)ベンズアミド；
Ｎ−{２−[４−(３,４−ジクロロフェノキシ)−１−ピペリジニル]エチル}−３−(トリフルオロメトキシ)ベンズアミド；
３,５−ジクロロ−Ｎ−{２−[４−(３,４−ジクロロフェノキシ)−１−ピペリジニル]エチル}ベンズアミド；
Ｎ−{２−[４−(３,４−ジクロロフェノキシ)−１−ピペリジニル]エチル}−４−(トリフルオロメチル)ベンズアミド；
３−シアノ−Ｎ−{２−[４−(３,４−ジクロロフェノキシ)−１−ピペリジニル]エチル}ベンズアミド；
２−ブロモ−Ｎ−{２−[４−(３,４−ジクロロフェノキシ)−１−ピペリジニル]エチル}−５−メトキシベンズアミド；
Ｎ−{２−[４−(３,４−ジクロロフェノキシ)−１−ピペリジニル]エチル}−２−フラミド；
３−クロロ−Ｎ−{２−[４−(３,４−ジクロロフェノキシ)−１−ピペリジニル]エチル}ベンズアミド；
２−クロロ−Ｎ−{２−[４−(３,４−ジクロロフェノキシ)−１−ピペリジニル]エチル}ベンズアミド；
Ｎ−{２−[４−(３,４−ジクロロフェノキシ)−１−ピペリジニル]エチル}−３,５−ジフルオロベンズアミド；
２,３−ジクロロ−Ｎ−{２−[４−(３,４−ジクロロフェノキシ)−１−ピペリジニル]エチル}ベンズアミド；
Ｎ−{２−[４−(３,４−ジクロロフェノキシ)−１−ピペリジニル]エチル}−２−ナフトアミド；
Ｎ−{２−[４−(３,４−ジクロロフェノキシ)−１−ピペリジニル]エチル}−２−(メチルスルファニル)ニコチンアミド；
Ｎ−{２−[４−(３,４−ジクロロフェノキシ)−１−ピペリジニル]エチル}−２−フルオロ−６−(トリフルオロメチル)ベンズアミド；
Ｎ−{２−[４−(３,４−ジクロロフェノキシ)−１−ピペリジニル]エチル}−２,４−ジフルオロベンズアミド；
Ｎ−{２−[４−(３,４−ジクロロフェノキシ)−１−ピペリジニル]エチル}−２−チオフェンカルボキサミド；
Ｎ−{２−[４−(３,４−ジクロロフェノキシ)−１−ピペリジニル]エチル}−２−キノキサリンカルボキサミド；
４−({２−[４−(３,４−ジクロロフェノキシ)−１−ピペリジニル]エチル}アミノ)−４−オキソブタン酸メチル；
Ｎ−{２−[４−(３,４−ジクロロフェノキシ)−１−ピペリジニル]エチル}ビシクロ[２.２.１]ヘプタ−５−エン−２−カルボキサミド；
Ｎ−{２−[４−(３,４−ジクロロフェノキシ)−１−ピペリジニル]エチル}シクロブタンカルボキサミド；
Ｎ−{２−[４−(３,４−ジクロロフェノキシ)−１−ピペリジニル]エチル}−２−メトキシアセトアミド；
Ｎ−{２−[４−(３,４−ジクロロフェノキシ)−１−ピペリジニル]エチル}シクロヘキサンカルボキサミド；
(Ｅ)−Ｎ−{２−[４−(３,４−ジクロロフェノキシ)−１−ピペリジニル]エチル}−３−フェニル−２−プロペンアミド；
２−クロロ−Ｎ−{２−[４−(３,４−ジクロロフェノキシ)−１−ピペリジニル]エチル}ニコチンアミド；
Ｎ−{２−[４−(３,４−ジクロロフェノキシ)−１−ピペリジニル]エチル}−２−フェニルアセトアミド；
Ｎ−{２−[４−(３,４−ジクロロフェノキシ)−１−ピペリジニル]エチル}シクロペンタンカルボキサミド；
Ｎ−{２−[４−(３,４−ジクロロフェノキシ)−１−ピペリジニル]エチル}−２−フェノキシアセトアミド；
Ｎ−{２−[４−(４−クロロベンゾイル)−１−ピペリジニル]エチル}ベンズアミド；
Ｎ−{２−[４−(４−クロロベンゾイル)−１−ピペリジニル]エチル}−３−(トリフルオロメチル)ベンズアミド；
４−(tert−ブチル)−Ｎ−{２−[４−(４−クロロベンゾイル)−１−ピペリジニル]エチル}ベンズアミド；
Ｎ−{２−[４−(４−クロロベンゾイル)−１−ピペリジニル]エチル}−４−メチルベンズアミド；
Ｎ−{２−[４−(４−クロロベンゾイル)−１−ピペリジニル]エチル}−４−ニトロベンズアミド；
Ｎ−{２−[４−(４−クロロベンゾイル)−１−ピペリジニル]エチル}−３−メチルベンズアミド；
Ｎ−{２−[４−(４−クロロベンゾイル)−１−ピペリジニル]エチル}−４−メチル−３−ニトロベンズアミド；
Ｎ−{２−[４−(４−クロロベンゾイル)−１−ピペリジニル]エチル}−３−シアノベンズアミド；
Ｎ−{２−[４−(４−クロロベンゾイル)−１−ピペリジニル]エチル}−２−フラミド；
Ｎ−{２−[４−(４−クロロベンゾイル)−１−ピペリジニル]エチル}−３−ニトロベンズアミド；
Ｎ−{２−[４−(４−クロロベンゾイル)−１−ピペリジニル]エチル}−２−ナフトアミド；
Ｎ−{２−[４−(４−クロロベンゾイル)−１−ピペリジニル]エチル}−２−(メチルスルファニル)ニコチンアミド；
Ｎ−{２−[４−(４−クロロベンゾイル)−１−ピペリジニル]エチル}−２−(２,３−ジヒドロ−１,４−ベンゾジオキシン−２−イル)−１,３−チアゾール−４−カルボキサミド；
Ｎ〜２〜−シクロプロピル−Ｎ〜４〜−{２−[４−(３,４−ジクロロフェノキシ)−１−ピペリジニル]エチル}−２,４−ピリミジンジアミン；
２−{[４−({２−[４−(３,４−ジクロロフェノキシ)−１−ピペリジニル]エチル}アミノ)−２−ピリミジニル]アミノ}−１−エタノール；
２−[[４−({２−[４−(３,４−ジクロロフェノキシ)−１−ピペリジニル]エチル}アミノ)−２−ピリミジニル](メチル)アミノ]−１−エタノール；
Ｎ〜４〜−{２−[４−(３,４−ジクロロフェノキシ)−１−ピペリジニル]エチル}−Ｎ〜２〜−フェニル−２,４−ピリミジンジアミン；
Ｎ−{２−[４−(３,４−ジクロロフェノキシ)−１−ピペリジニル]エチル}−２−(メチルスルファニル)−４−ピリミジンアミン；
Ｎ〜４〜−{２−[４−(３,４−ジクロロフェノキシ)−１−ピペリジニル]エチル}−６−メチル−２,４−ピリミジンジアミン；
Ｎ〜４〜−{２−[４−(３,４−ジクロロフェノキシ)−１−ピペリジニル]エチル}−Ｎ〜２〜,６−ジメチル−２,４−ピリミジンジアミン；
２−クロロ−Ｎ〜４〜−シクロプロピル−Ｎ〜６〜−{２−[４−(３,４−ジクロロフェノキシ)−１−ピペリジニル]エチル}−４,６−ピリミジンジアミン；
Ｎ−{２−[４−(３,４−ジクロロフェノキシ)−１−ピペリジニル]エチル}−４−フェニル−２−ピリミジンアミン；
Ｎ〜２〜−{２−[４−(３,４−ジクロロフェノキシ)−１−ピペリジニル]エチル}−Ｎ〜４〜,Ｎ〜４〜,６−トリメチル−２,４−ピリミジンジアミン；
Ｎ−{２−[４−(３,４−ジクロロフェノキシ)−１−ピペリジニル]エチル}−４−(トリフルオロメチル)−２−ピリミジンアミン；
Ｎ−{２−[４−(３,４−ジクロロフェノキシ)−１−ピペリジニル]エチル}−４−(プロピルスルファニル)−２−ピリミジンアミン；
Ｎ〜２〜−{２−[４−(３,４−ジクロロフェノキシ)−１−ピペリジニル]エチル}−Ｎ〜４〜−フェニル−２,４−ピリミジンジアミン；
Ｎ〜４〜−シクロプロピル−Ｎ〜２〜−{２−[４−(３,４−ジクロロフェノキシ)−１−ピペリジニル]エチル}−２,４−ピリミジンジアミン；
Ｎ−{２−[４−(３,４−ジクロロフェノキシ)−１−ピペリジニル]エチル}[１,８]ナフチリジン−２−アミン；
Ｎ−{２−[４−(３,４−ジクロロフェノキシ)−１−ピペリジニル]エチル}−４−(３−ピリジニル)−２−ピリミジンアミン；
Ｎ−{２−[４−(３,４−ジクロロフェノキシ)−１−ピペリジニル]エチル}−２−ピリミジンアミン；
Ｎ−{２−[４−(３,４−ジクロロフェノキシ)−１−ピペリジニル]エチル}−４,６−ジメトキシ−２−ピリミジンアミン；
Ｎ−{２−[４−(３,４−ジクロロフェノキシ)−１−ピペリジニル]エチル}−４−(３−フリル)−２−ピリミジンアミン；
Ｎ−{２−[４−(３,４−ジクロロフェノキシ)−１−ピペリジニル]エチル}−１−メチル−１Ｈ−ピラゾロ[３,４−ｄ]ピリミジン−４−アミン；
Ｎ−{２−[４−(３,４−ジクロロフェノキシ)−１−ピペリジニル]エチル}−１Ｈ−プリン−６−アミン；
Ｎ−{２−[４−(３,４−ジクロロフェノキシ)−１−ピペリジニル]エチル}−５−メチルチエノ[２,３−ｄ]ピリミジン−４−アミン；
Ｎ−{２−[４−(３,４−ジクロロフェノキシ)−１−ピペリジニル]エチル}−７−メチルチエノ[３,２−ｄ]ピリミジン−４−アミン；
Ｎ−{２−[４−(４−クロロベンゾイル)−１−ピペリジニル]エチル}−２−チオフェンカルボキサミド；
Ｎ−{２−[４−(４−クロロベンゾイル)−１−ピペリジニル]エチル}−２−キノキサリンカルボキサミド；
Ｎ−{２−[４−(４−クロロベンゾイル)−１−ピペリジニル]エチル}ビシクロ[２.２.１]ヘプタ−５−エン−２−カルボキサミド；
Ｎ−{２−[４−(４−クロロベンゾイル)−１−ピペリジニル]エチル}シクロヘキサンカルボキサミド；
(Ｅ)−Ｎ−{２−[４−(４−クロロベンゾイル)−１−ピペリジニル]エチル}−３−フェニル−２−プロペンアミド；
Ｎ−{２−[４−(４−クロロベンゾイル)−１−ピペリジニル]エチル}−２−フェノキシアセトアミド；
(Ｅ)−Ｎ−{２−[４−(４−クロロベンゾイル)−１−ピペリジニル]エチル}−３−(４−ニトロフェニル)−２−プロペンアミド；
２−(１−アダマンチル)−Ｎ−{２−[４−(４−クロロベンゾイル)−１−ピペリジニル]エチル}アセトアミド；
(４−クロロフェニル)(１−{２−[(２−フルオロ−４,５−ジメトキシベンジル)アミノ]エチル}−４−ピペリジニル)メタノン；
(４−クロロフェニル)(１−{２−[(３,４,５−トリメトキシベンジル)アミノ]エチル}−４−ピペリジニル)メタノン；
(４−クロロフェニル)(１−{２−[(３−ニトロベンジル)アミノ]エチル}−４−ピペリジニル)メタノン；
(４−クロロフェニル){１−[２−(イソブチルアミノ)エチル]−４−ピペリジニル}メタノン；
４−[({２−[４−(４−クロロベンゾイル)−１−ピペリジニル]エチル}アミノ)メチル]−４−エチルヘキサンニトリル；
(４−クロロフェニル)(１−{２−[(７−ヒドロキシ−３,７−ジメチルオクチル)アミノ]エチル}−４−ピペリジニル)メタノン；
(４−クロロフェニル)[１−(２−{[(６−ニトロ−１,３−ベンゾジオキソール−５−イル)メチル]アミノ}エチル)−４−ピペリジニル]メタノン；
[１−(２−{[(５−クロロ−１,３−ジメチル−１Ｈ−ピラゾール−４−イル)メチル]アミノ}エチル)−４−ピペリジニル](４−クロロフェニル)メタノン；
(４−クロロフェニル)[１−(２−{[３−ニトロ−４−(２−ピリジニルスルファニル)ベンジル]アミノ}エチル)−４−ピペリジニル]メタノン；
(４−クロロフェニル)[１−(２−{[(Ｅ)−３−(４−ニトロフェニル)−２−プロペニル]アミノ}エチル)−４−ピペリジニル]メタノン；
(４−クロロフェニル){１−[２−({[５−(３−ニトロフェニル)−２−フリル]メチル}アミノ)エチル]−４−ピペリジニル}メタノン；
(４−クロロフェニル)[１−(２−{[５−ニトロ−２−(２−ピリジニルスルファニル)ベンジル]アミノ}エチル)−４−ピペリジニル]メタノン；
６−[({２−[４−(４−クロロベンゾイル)−１−ピペリジニル]エチル}アミノ)メチル]−２−(メチルスルファニル)ニコチノニトリル；
{１−[２−({[５−クロロ−１−メチル−３−(トリフルオロメチル)−１Ｈ−ピラゾール−４−イル]メチル}アミノ)エチル]−４−ピペリジニル}(４−クロロフェニル)メタノン；
(４−クロロフェニル)[１−(２−{[３−(メチルスルファニル)ブチル]アミノ}エチル)−４−ピペリジニル]メタノン；
(４−クロロフェニル)[１−(２−{[(４−フェニル−４−ピペリジニル)メチル]アミノ}エチル)−４−ピペリジニル]メタノン；
(４−クロロフェニル)[１−(２−{[(１−フェニル−１Ｈ−ピラゾール−５−イル)メチル]アミノ}エチル)−４−ピペリジニル]メタノン；
３−[({２−[４−(４−クロロベンゾイル)−１−ピペリジニル]エチル}アミノ)メチル]シクロヘキサンカルボン酸エチル；
Ｎ−{４−[({２−[４−(４−クロロベンゾイル)−１−ピペリジニル]エチル}アミノ)メチル]フェニル}アセトアミド；
(４−クロロフェニル)(１−{２−[(２,５−ジフルオロベンジル)アミノ]エチル}−４−ピペリジニル)メタノン；
(４−クロロフェニル)(１−{２−[(４−ニトロベンジル)アミノ]エチル}−４−ピペリジニル)メタノン；
(４−クロロフェニル)(１−{２−[(２,６−ジクロロベンジル)アミノ]エチル}−４−ピペリジニル)メタノン；
(４−クロロフェニル)(１−{２−[(２−ピリジニルメチル)アミノ]エチル}−４−ピペリジニル)メタノン；
(４−クロロフェニル)[１−(２−{[(３−メチル−２−チエニル)メチル]アミノ}エチル)−４−ピペリジニル]メタノン；
(４−クロロフェニル)(１−{２−[(３−ヒドロキシ−４−メトキシベンジル)アミノ]エチル}−４−ピペリジニル)メタノン；
３−[({２−[４−(４−クロロベンゾイル)−１−ピペリジニル]エチル}アミノ)メチル]−４Ｈ−クロメン−４−オン；
[１−(２−{[(５−クロロ−１,３−ジメチル−１Ｈ−ピラゾール−４−イル)メチル]アミノ}エチル)−４−ピペリジニル](４−クロロフェニル)メタノン；
(４−クロロフェニル)[１−(２−{[(２,６−ジクロロ−４−ピリジニル)メチル]アミノ}エチル)−４−ピペリジニル]メタノン；
(４−クロロフェニル)[１−(２−{[(２−フェニル−１Ｈ−イミダゾール−４−イル)メチル]アミノ}エチル)−４−ピペリジニル]メタノン；
(４−クロロフェニル)[１−(２−{[(５−エチル−２−チエニル)メチル]アミノ}エチル)−４−ピペリジニル]メタノン；
(４−クロロフェニル)[１−(２−{[(２−クロロ−３−キノリニル)メチル]アミノ}エチル)−４−ピペリジニル]メタノン；
(４−クロロフェニル)[１−(２−{[(６−メチル−２−ピリジニル)メチル]アミノ}エチル)−４−ピペリジニル]メタノン；
(４−クロロフェニル)(１−{２−[(３−キノリニルメチル)アミノ]エチル}−４−ピペリジニル)メタノン；
４−[({２−[４−(４−クロロベンゾイル)−１−ピペリジニル]エチル}アミノ)メチル]−１,５−ジメチル−２−フェニル−１,２−ジヒドロ−３Ｈ−ピラゾール−３−オン；
(４−クロロフェニル)(１−{２−[(４−ピリジニルメチル)アミノ]エチル}−４−ピペリジニル)メタノン；
(４−クロロフェニル)(１−{２−[(３−ヒドロキシ−４−ニトロベンジル)アミノ]エチル}−４−ピペリジニル)メタノン；
(４−クロロフェニル)(１−{２−[(３,５−ジフルオロベンジル)アミノ]エチル}−４−ピペリジニル)メタノン；
(１−{２−[(２−クロロ−６−フルオロベンジル)アミノ]エチル}−４−ピペリジニル)(４−クロロフェニル)メタノン；
[１−(２−{[(４−ブロモ−１Ｈ−ピラゾール−３−イル)メチル]アミノ}エチル)−４−ピペリジニル](４−クロロフェニル)メタノン；
３−[({２−[４−(４−クロロベンゾイル)−１−ピペリジニル]エチル}アミノ)メチル]−６，７−ジメチル−４Ｈ−クロメン−４−オン；
２−{２−[({２−[４−(４−クロロベンゾイル)−１−ピペリジニル]エチル}アミノ)メチル]−４−ニトロフェノキシ}酢酸；
(４−クロロフェニル)[１−(２−{[(１−メチル−１Ｈ−ベンゾイミダゾール−２−イル)メチル]アミノ}エチル)−４−ピペリジニル]メタノン；
(４−クロロフェニル)[１−(２−{[(２,４−ジメトキシ−５−ピリミジニル)メチル]アミノ}エチル)−４−ピペリジニル]メタノン；
Ｎ−{２−[４−(３,４−ジクロロフェノキシ)−１−ピペリジニル]エチル}−４−(メチルアミノ)ベンズアミド；
４−クロロ−Ｎ−{２−[４−(３,４−ジクロロフェノキシ)−１−ピペリジニル]エチル}−３−メトキシベンズアミド；
Ｎ−{２−[４−(３,４−ジクロロフェノキシ)−１−ピペリジニル]エチル}−３−メトキシ−４−メチルベンズアミド；
３−アミノ−Ｎ−{２−[４−(３,４−ジクロロフェノキシ)−１−ピペリジニル]エチル}−４−メトキシベンズアミド；
Ｎ−{２−[４−(３,４−ジクロロフェノキシ)−１−ピペリジニル]エチル}−１,３−ベンゾジオキソール−５−カルボキサミド；
４−アミノ−Ｎ−{２−[４−(３,４−ジクロロフェノキシ)−１−ピペリジニル]エチル}−３−メトキシベンズアミド；
Ｎ−{２−[４−(３,４−ジクロロフェノキシ)−１−ピペリジニル]エチル}−３−フルオロ−４−メトキシベンズアミド；
５−ブロモ−Ｎ−{２−[４−(３,４−ジクロロフェノキシ)−１−ピペリジニル]エチル}−２−フラミド；
Ｎ−{２−[４−(３,４−ジクロロフェノキシ)−１−ピペリジニル]エチル}−３−メチル−２−フラミド；
Ｎ−{２−[４−(３,４−ジクロロフェノキシ)−１−ピペリジニル]エチル}−４,５−ジメチル−２−フラミド；
Ｎ−{２−[４−(３,４−ジクロロフェノキシ)−１−ピペリジニル]エチル}−７−エトキシ−１−ベンゾフラン−２−カルボキサミド；
Ｎ−{２−[４−(３,４−ジクロロフェノキシ)−１−ピペリジニル]エチル}−５−メトキシ−１−ベンゾフラン−２−カルボキサミド；
Ｎ−{２−[４−(３,４−ジクロロフェノキシ)−１−ピペリジニル]エチル}−７−メトキシ−１−ベンゾフラン−２−カルボキサミド；
Ｎ−{２−[４−(３,４−ジクロロフェノキシ)−１−ピペリジニル]エチル}−２−(４−フルオロフェニル)アセトアミド；
Ｎ−{２−[４−(３,４−ジクロロフェノキシ)−１−ピペリジニル]エチル}−２−(２−メトキシフェニル)アセトアミド；
Ｎ−{２−[４−(３,４−ジクロロフェノキシ)−１−ピペリジニル]エチル}−２−(３−メチルフェニル)アセトアミド；
Ｎ−{２−[４−(３,４−ジクロロフェノキシ)−１−ピペリジニル]エチル}−２−(２−メチルフェニル)アセトアミド；
２−(３−ブロモフェニル)−Ｎ−{２−[４−(３,４−ジクロロフェノキシ)−１−ピペリジニル]エチル}アセトアミド；
２−(２−クロロフェニル)−Ｎ−{２−[４−(３,４−ジクロロフェノキシ)−１−ピペリジニル]エチル}アセトアミド；
２−(４−クロロフェニル)−Ｎ−{２−[４−(３,４−ジクロロフェノキシ)−１−ピペリジニル]エチル}アセトアミド；
Ｎ−{２−[４−(３,４−ジクロロフェノキシ)−１−ピペリジニル]エチル}−２−[２−(トリフルオロメチル)フェニル]アセトアミド；
２−(３−クロロフェニル)−Ｎ−{２−[４−(３,４−ジクロロフェノキシ)−１−ピペリジニル]エチル}アセトアミド；
Ｎ−{２−[４−(３,４−ジクロロフェノキシ)−１−ピペリジニル]エチル}−２−(３,４−ジメトキシフェニル)アセトアミド；
Ｎ−{２−[４−(３,４−ジクロロフェノキシ)−１−ピペリジニル]エチル}−２−(４−メトキシフェニル)アセトアミド；
Ｎ−{２−[４−(３,４−ジクロロフェノキシ)−１−ピペリジニル]エチル}−２−(３,４−ジクロロフェニル)アセトアミド；
Ｎ−{２−[４−(３,４−ジクロロフェノキシ)−１−ピペリジニル]エチル}−２−(３−フルオロ−４−メトキシフェニル)アセトアミド；
Ｎ−{２−[４−(３,４−ジクロロフェノキシ)−１−ピペリジニル]エチル}−２−(４−エトキシフェニル)アセトアミド；
２−(１,３−ベンゾジオキソール−５−イル)−Ｎ−{２−[４−(３,４−ジクロロフェノキシ)−１−ピペリジニル]エチル}アセトアミド；
Ｎ−{２−[４−(３,４−ジクロロフェノキシ)−１−ピペリジニル]エチル}−２−[４−(ジメチルアミノ)フェニル]アセトアミド；
Ｎ−{２−[４−(３,４−ジクロロフェノキシ)−１−ピペリジニル]エチル}−２−(４−メチルフェニル)アセトアミド；
Ｎ−{２−[４−(３,４−ジクロロフェノキシ)−１−ピペリジニル]エチル}−２−(３,４−ジフルオロフェニル)アセトアミド；
Ｎ−{２−[４−(３,４−ジクロロフェノキシ)−１−ピペリジニル]エチル}−２−(３−メトキシフェニル)アセトアミド；
Ｎ−{２−[４−(３,４−ジクロロフェノキシ)−１−ピペリジニル]エチル}−４−フェニルブタンアミド；
Ｎ−{２−[４−(３,４−ジクロロフェノキシ)−１−ピペリジニル]エチル}−３−フェニルプロパンアミド；
Ｎ−{２−[４−(３,４−ジクロロフェノキシ)−１−ピペリジニル]エチル}−３−(３−メトキシフェニル)プロパンアミド；
２−アミノ−Ｎ−{２−[４−(３,４−ジクロロフェノキシ)−１−ピペリジニル]エチル}−１,３−チアゾール−４−カルボキサミド；
２−(アセチルアミノ)−Ｎ−{２−[４−(３,４−ジクロロフェノキシ)−１−ピペリジニル]エチル}−１,３−チアゾール−４−カルボキサミド；
Ｎ−{２−[４−(３,４−ジクロロフェノキシ)−１−ピペリジニル]エチル}−２−(４−ピリジニル)−１,３−チアゾール−４−カルボキサミド；
Ｎ−{２−[４−(３,４−ジクロロフェノキシ)−１−ピペリジニル]エチル}−２,４−ジメチル−１,３−チアゾール−５−カルボキサミド；
Ｎ−{２−[４−(３,４−ジクロロフェノキシ)−１−ピペリジニル]エチル}−２,５−ジメチル−１,３−オキサゾール−４−カルボキサミド；
Ｎ−{２−[４−(３,４−ジクロロフェノキシ)−１−ピペリジニル]エチル}−１Ｈ−イミダゾール−４−カルボキサミド；
Ｎ−{２−[４−(３,４−クロロフェノキシ)−１−ピペリジニル]エチル}−３−メトキシベンズアミド，塩酸塩；
Ｎ−{３−[４−(３,４−ジクロロフェノキシ)−１−ピペリジニル]プロピル}−１−メチル−１Ｈ−ピラゾロ[３,４−ｄ]ピリミジン−４−アミン；
Ｎ−{３−[４−(３,４−ジクロロフェノキシ)−１−ピペリジニル]プロピル}−２,６−ジメトキシ−４−ピリミジンアミン；
Ｎ〜４〜−{３−[４−(３,４−ジクロロフェノキシ)−１−ピペリジニル]プロピル}−Ｎ〜２〜,Ｎ〜２〜−ジメチル−２,４−ピリミジンジアミン；
Ｎ−{３−[４−(３,４−ジクロロフェノキシ)−１−ピペリジニル]プロピル}−２−[(メチルスルファニル)メチル]−４−ピリミジンアミン；
Ｎ−{３−[４−(３,４−ジクロロフェノキシ)−１−ピペリジニル]プロピル}−２−(メチルスルファニル)−６−(トリフルオロメチル)−４−ピリミジンアミン；
Ｎ−{３−[４−(３,４−ジクロロフェノキシ)−１−ピペリジニル]プロピル}−５−メトキシ−２−(メチルスルファニル)−４−ピリミジンアミン；
Ｎ−{３−[４−(３,４−ジクロロフェノキシ)−１−ピペリジニル]プロピル}−６−メチル−２−(メチルスルファニル)−４−ピリミジンアミン；
Ｎ−{３−[４−(３,４−ジクロロフェノキシ)−１−ピペリジニル]プロピル}−５−メトキシ−２−メチル−４−ピリミジンアミン；
Ｎ−{３−[４−(３,４−ジクロロフェノキシ)−１−ピペリジニル]プロピル}−２−(エチルスルファニル)−６−メチル−４−ピリミジンアミン；
Ｎ〜２〜−シクロプロピル−Ｎ〜４〜−{３−[４−(３,４−ジクロロフェノキシ)−１−ピペリジニル]プロピル}−２,４−ピリミジンジアミン；
２−{[４−({３−[４−(３,４−ジクロロフェノキシ)−１−ピペリジニル]プロピル}アミノ)−２−ピリミジニル]アミノ}−１−エタノール；
２−[[４−({３−[４−(３,４−ジクロロフェノキシ)−１−ピペリジニル]プロピル}アミノ)−２−ピリミジニル](メチル)アミノ]−１−エタノール；
Ｎ−{３−[４−(３,４−ジクロロフェノキシ)−１−ピペリジニル]プロピル}−２−(メチルスルファニル)−４−ピリミジンアミン；
Ｎ〜４〜−{３−[４−(３,４−ジクロロフェノキシ)−１−ピペリジニル]プロピル}−６−メチル−２,４−ピリミジンジアミン；
Ｎ〜４〜−{３−[４−(３,４−ジクロロフェノキシ)−１−ピペリジニル]プロピル}−Ｎ〜２〜,６−ジメチル−２,４−ピリミジンジアミン；
Ｎ−{３−[４−(３,４−ジクロロフェノキシ)−１−ピペリジニル]プロピル}−４−フェニル−２−ピリミジンアミン；
Ｎ〜２〜−{３−[４−(３,４−ジクロロフェノキシ)−１−ピペリジニル]プロピル}−５−フルオロ−２,４−ピリミジンジアミン；
Ｎ〜２〜−{３−[４−(３,４−ジクロロフェノキシ)−１−ピペリジニル]プロピル}−Ｎ〜４〜,Ｎ〜４〜,６−トリメチル−２,４−ピリミジンジアミン；
Ｎ−{３−[４−(３,４−ジクロロフェノキシ)−１−ピペリジニル]プロピル}−４−(トリフルオロメチル)−２−ピリミジンアミン；
Ｎ−{３−[４−(３,４−ジクロロフェノキシ)−１−ピペリジニル]プロピル}−４−(プロピルスルファニル)−２−ピリミジンアミン；
Ｎ〜２〜−{３−[４−(３,４−ジクロロフェノキシ)−１−ピペリジニル]プロピル}−Ｎ〜４〜−フェニル−２,４−ピリミジンジアミン；
Ｎ〜２〜−{３−[４−(３,４−ジクロロフェノキシ)−１−ピペリジニル]プロピル}−Ｎ〜４〜,６−ジメチル−２,４−ピリミジンジアミン；
Ｎ−{３−[４−(３,４−ジクロロフェノキシ)−１−ピペリジニル]プロピル}[１,８]ナフチリジン−２−アミン；
２−{[２−({３−[４−(３,４−ジクロロフェノキシ)−１−ピペリジニル]プロピル}アミノ)−４−ピリミジニル]アミノ}−１−エタノール；
２−[[２−({３−[４−(３,４−ジクロロフェノキシ)−１−ピペリジニル]プロピル}アミノ)−４−ピリミジニル](メチル)アミノ]−１−エタノール；
Ｎ−{３−[４−(３,４−ジクロロフェノキシ)−１−ピペリジニル]プロピル}−４−(３−ピリジニル)−２−ピリミジンアミン；
Ｎ−{３−[４−(３,４−ジクロロフェノキシ)−１−ピペリジニル]プロピル}−４−(３−チエニル)−２−ピリミジンアミン；
Ｎ−{３−[４−(３,４−ジクロロフェノキシ)−１−ピペリジニル]プロピル}−２−ピリミジンアミン；
Ｎ−{３−[４−(３,４−ジクロロフェノキシ)−１−ピペリジニル]プロピル}−４,６−ジメトキシ−２−ピリミジンアミン；
Ｎ−{３−[４−(３,４−ジクロロフェノキシ)−１−ピペリジニル]プロピル}−４−(３−フリル)−２−ピリミジンアミン；
Ｎ−{３−[４−(３,４−ジクロロフェノキシ)−１−ピペリジニル]プロピル}−４−(２−チエニル)−２−ピリミジンアミン；
Ｎ−{３−[４−(３,４−ジクロロフェノキシ)−１−ピペリジニル]プロピル}−１Ｈ−プリン−６−アミン；
Ｎ−{３−[４−(３,４−ジクロロフェノキシ)−１−ピペリジニル]プロピル}−５−メチルチエノ[２,３−ｄ]ピリミジン−４−アミン；
Ｎ−{３−[４−(３,４−ジクロロフェノキシ)−１−ピペリジニル]プロピル}−７−メチルチエノ[３,２−ｄ]ピリミジン−４−アミン；
Ｎ〜７〜−{３−[４−(３,４−ジクロロフェノキシ)−１−ピペリジニル]プロピル}−５−メチル[１,３]チアゾロ[４,５−ｄ]ピリミジン−２,７−ジアミン；
Ｎ−{３−[４−(３,４−ジクロロフェノキシ)−１−ピペリジニル]プロピル}−９−メチル−９Ｈ−プリン−６−アミン；
Ｎ−{３−[４−(３,４−ジクロロフェノキシ)−１−ピペリジニル]プロピル}−２−ピリジンアミン；
５−クロロ−Ｎ−{３−[４−(３,４−ジクロロフェノキシ)−１−ピペリジニル]プロピル}−２−ピリジンアミン；
６−クロロ−Ｎ−{３−[４−(３,４−ジクロロフェノキシ)−１−ピペリジニル]プロピル}−２−ピリジンアミン；
Ｎ−{３−[４−(３,４−ジクロロフェノキシ)−１−ピペリジニル]プロピル}−６−メチル−２−ピリジンアミン；
Ｎ−{３−[４−(３,４−ジクロロフェノキシ)−１−ピペリジニル]プロピル}−１,３−ベンゾチアゾール−２−アミン；
Ｎ−{３−[４−(３,４−ジクロロフェノキシ)−１−ピペリジニル]プロピル}−１,３−ベンゾオキサゾール−２−アミン；
６−クロロ−Ｎ−{３−[４−(３,４−ジクロロフェノキシ)−１−ピペリジニル]プロピル}−２−ピラジンアミン；
６−クロロ−Ｎ−{３−[４−(３,４−ジクロロフェノキシ)−１−ピペリジニル]プロピル}−３−ピリダジンアミン；
６−({３−[４−(３,４−ジクロロフェノキシ)−１−ピペリジニル]プロピル}アミノ)−１,３−ジメチル−２,４(１Ｈ,３Ｈ)−ピリミジンジオン；
Ｎ−{２−[４−(３,４−ジクロロフェノキシ)−１−ピペリジニル]エチル}−２,６−ジメトキシ−４−ピリミジンアミン；
Ｎ〜４〜−{２−[４−(３,４−ジクロロフェノキシ)−１−ピペリジニル]エチル}−Ｎ〜２〜,Ｎ〜２〜−ジメチル−２,４−ピリミジンジアミン；
Ｎ−{２−[４−(３,４−ジクロロフェノキシ)−１−ピペリジニル]エチル}−２−[(メチルスルファニル)メチル]−４−ピリミジンアミン；
Ｎ−{２−[４−(３,４−ジクロロフェノキシ)−１−ピペリジニル]エチル}−５−メトキシ−２−(メチルスルファニル)−４−ピリミジンアミン；
Ｎ−{２−[４−(３,４−ジクロロフェノキシ)−１−ピペリジニル]エチル}−６−メチル−２−(メチルスルファニル)−４−ピリミジンアミン；
Ｎ−{２−[４−(３,４−ジクロロフェノキシ)−１−ピペリジニル]エチル}−５−メトキシ−２−メチル−４−ピリミジンアミン；および
Ｎ〜４〜−{２−[４−(３,４−ジクロロフェノキシ)−１−ピペリジニル]エチル}−６−メチル−Ｎ〜２〜−フェニル−２,４−ピリミジンジアミン；
から選択される、請求項１に記載の式（Ｉ）の化合物、またはその薬学的に許容され得る塩もしくは溶媒和物。
【請求項１０】  請求項１に定義した式（Ｉ）の化合物の製造方法であって、
（ｉ）ＴがＣ(Ｏ)ＮＨ基を表わす場合、一般式：
Ｒ１−(Ｑ)ｍ−ＣＯＬ１        (II)
［式中、
Ｌ１は、脱離基（例えば、ヒドロキシルまたは塩化物のようなハロゲン化物基）を表わし；そして
Ｒ１、ｍおよびＱは、式（Ｉ）に定義した通りである。］
の化合物を、一般式：
【化３】
2002540204.tif 000003
［式中、ｎ、Ｒ２、Ｒ３、Ｖ、Ｗ、ＸおよびＲ４は、式（Ｉ）に定義した通りである。］
の化合物またはその酸付加塩（例えば、トリフルオロ酢酸塩）と反応させること；または
（ii）ＴがＣ(Ｏ)ＮＨ基を表わし、そしてＷが窒素原子を表わす場合、一般式：
【化４】
2002540204.tif 000004
［式中、Ｒ１、ｍ、Ｑ、Ｔ、ｎ、Ｒ２、Ｒ３およびＶは、式（Ｉ）に定義した通りである。］
の化合物を、一般式：
Ｌ２−Ｘ−Ｒ４        （Ｖ）
［式中、
Ｌ２は、脱離基（例えば、ハロゲン原子）を表わし；そして
ＸおよびＲ４は、式（Ｉ）に定義した通りである。］
の化合物と反応させること；または
（iii）ＴがＮＨ基を表わし、そしてｍが０である場合、一般式：
Ｒ１−Ｌ３        （VI）
［式中、
Ｌ３は、脱離基（例えば、ハロゲン原子）を表わし；そして
Ｒ１は、式（Ｉ）に定義した通りである。］
の化合物を、上の（ｉ）に定義した式（III）の化合物と反応させること；または
（iv）ＴがＮＨ基を表わし、ｍが１であり、そしてＱがＣ１−Ｃ４アルキレンを表わす場合、一般式：
Ｒ１−(ＣＨ２)ｐ−ＣＨＯ        （VII）
［式中、
ｐは、０、１、２または３であり；そして
Ｒ１は、式（Ｉ）に定義した通りである。］
の化合物を、上の（ｉ）に定義した式（III）の化合物と反応させること；または
（ｖ）Ｔが結合を表わし、そしてｍが０である場合、一般式：
Ｒ１−(ＣＲ２Ｒ３)ｎ−Ｌ４        (VIII)
［式中、
Ｌ４は、ハロゲン原子（例えば、塩素）のような脱離基を表わし；そして
ｎ、Ｒ１、Ｒ２およびＲ３は、式（Ｉ）に定義した通りである。］
の化合物を、一般式：
【化５】
2002540204.tif 000005
［式中、Ｗ、ＸおよびＲ４は、式（Ｉ）に定義した通りである。］
の化合物と反応させること；
そして場合により、（ｉ）、（ii）、（iii）、（iv）または（ｖ）の後、式（Ｉ）の化合物を、式（Ｉ）のさらなる化合物に転換すること、および／または式（Ｉ）の化合物の薬学的に許容され得る塩もしくは溶媒和物を形成すること；
を含んでなる方法。
【請求項１１】  請求項１−９のいずれかに記載の式（Ｉ）の化合物、またはその薬学的に許容され得る塩もしくは溶媒和物を、薬学的に許容され得る補助剤、希釈剤または担体と共に含んでなる医薬組成物。
【請求項１２】  請求項１１に記載の医薬組成物の製造方法であって、請求項１−９のいずれかに記載の式（Ｉ）の化合物、またはその薬学的に許容され得る塩もしくは溶媒和物を、薬学的に許容され得る補助剤、希釈剤または担体と混合することを含んでなる方法。
【請求項１３】  治療で使用するための、請求項１−９のいずれかに記載の式（Ｉ）の化合物、またはその薬学的に許容され得る塩もしくは溶媒和物。
【請求項１４】  治療で使用するための薬物の製造における、請求項１−９のいずれかに記載の式（Ｉ）の化合物、またはその薬学的に許容され得る塩もしくは溶媒和物の使用。
【請求項１５】  ケモカイン受容体活性の調節が有益であるヒトの疾患または状態を処置するための薬物の製造における、請求項１−９のいずれかに記載の式（Ｉ）の化合物、またはその薬学的に許容され得る塩もしくは溶媒和物の使用。
【請求項１６】  炎症性疾患を患っている、またはその危険性がある患者において、該疾患を処置する方法であって、請求項１−９のいずれかに記載の式（Ｉ）の化合物、またはその薬学的に許容され得る塩もしくは溶媒和物の治療上有効な量を患者に投与することを含んでなる方法。
【手続補正２】
【補正対象書類名】明細書
【補正対象項目名】００４１
【補正方法】変更
【補正の内容】
【００４１】
Ｎ−{２−[４−(３,４−ジクロロフェノキシ)−１−ピペリジニル]エチル}−２−(３,４−ジメトキシフェニル)アセトアミド；
Ｎ−{２−[４−(３,４−ジクロロフェノキシ)−１−ピペリジニル]エチル}−２−(４−メトキシフェニル)アセトアミド；
Ｎ−{２−[４−(３,４−ジクロロフェノキシ)−１−ピペリジニル]エチル}−２−(３,４−ジクロロフェニル)アセトアミド；
Ｎ−{２−[４−(３,４−ジクロロフェノキシ)−１−ピペリジニル]エチル}−２−(３−フルオロ−４−メトキシフェニル)アセトアミド；
Ｎ−{２−[４−(３,４−ジクロロフェノキシ)−１−ピペリジニル]エチル}−２−(４−エトキシフェニル)アセトアミド；
２−(１,３−ベンゾジオキソール−５−イル)−Ｎ−{２−[４−(３,４−ジクロロフェノキシ)−１−ピペリジニル]エチル}アセトアミド；
Ｎ−{２−[４−(３,４−ジクロロフェノキシ)−１−ピペリジニル]エチル}−２−[４−(ジメチルアミノ)フェニル]アセトアミド；
Ｎ−{２−[４−(３,４−ジクロロフェノキシ)−１−ピペリジニル]エチル}−２−(４−メチルフェニル)アセトアミド；
Ｎ−{２−[４−(３,４−ジクロロフェノキシ)−１−ピペリジニル]エチル}−２−(３,４−ジフルオロフェニル)アセトアミド；
Ｎ−{２−[４−(３,４−ジクロロフェノキシ)−１−ピペリジニル]エチル}−２−(３−メトキシフェニル)アセトアミド；
【手続補正３】
【補正対象書類名】明細書
【補正対象項目名】０３０２
【補正方法】変更
【補正の内容】
【０３０２】
実施例１９６
２−(１,３−ベンゾジオキソール−５−イル)−Ｎ−{２−[４−(３,４−ジクロロフェノキシ)−１−ピペリジニル]エチル}アセトアミド
【化２１０】
2002540204.tif 000006
ＭＳ：ＡＰＣ１(＋ve)ＢＰ ４５１。